(57)【特許請求の範囲】
【請求項１】
木造建築物の外周に間隔を開けて複数立設される外周柱と、
互いに隣接する前記外周柱の間を覆うように当該外周柱の屋外面に側端縁が固定される板体と、
前記板体の屋外側に前記外周柱に沿ってそれぞれ固定され、屋外側の面に上下方向へ延びる溝を設けた木製下地と、
前記木製下地に該木製下地の屋外側の面から螺着される固定プレートと、前記固定プレートの屋外面に回動可能に固定されるとともに、先端部が前記固定プレートの片側に突出可能な２つの押さえ片と、を有する外壁取付具と、
屋内側の側端部に前記押さえ片の前記先端部が挿入可能な係止溝を有し、前記押さえ片により、前記係止溝が前記木製下地側に押えられることによって木造建築物の屋外面に取り付けられる外壁パネルと、を備え、
一方の前記押さえ片の前記先端部と他方の前記押さえ片の前記先端部は、固定プレートの側方であり、且つ、互いに逆方向へのみ突出可能であり、
前記固定プレートは、中央に前記木製下地に螺着するビスを挿入可能なビス挿入孔を有するとともに、前記ビス挿入孔の上下それぞれに、前記押さえ片を回動可能に固定する押さえボルトを螺着させるねじ孔を有し、
前記押さえボルトは、先端を前記溝に挿入することを特徴とする外壁構造。
【発明の詳細な説明】
【技術分野】
【０００１】
本発明は、外壁取付具及び外壁構造に関し、特に、木造の建物物の躯体に外壁パネルを取り付ける外壁取付具及び外壁構造に関する。
【背景技術】
【０００２】
従来より軽量鉄骨の鉄骨軸組に外壁パネルを取り付ける構造として、本願の出願人は、例えば特許文献１乃至３に示すような鉄骨軸組と外壁パネルとの取付金具を開発し、実用化している。具体的には、側端面に凹溝を有する外壁パネルを、溝形鋼からなる壁軸組に取付ける金具であり、基板の上に二枚の押え板が回動自在にビス止めされており、押え板の先端部が凹溝の溝縁を押圧して、外壁パネルを固定している（例えば特許文献１−３）。
【０００３】
また、木造住宅における木造軸組に外壁パネルを取り付ける構造としては、例えば、木製フレームと面材からなる外壁パネルを、木造軸組の柱間へ面材の外側面が柱外側面とほぼ同一面となる位置まで挿入して、面材の裏面側において、木製フレームを柱の側面及び梁、土台へ釘打ちして固定する構造が知られている（例えば特許文献４）。
【先行技術文献】
【特許文献】
【０００４】
【特許文献１】特開平５−３２１３６８号公報
【特許文献２】特開平５−３２１３６９号公報
【特許文献３】特開平１０−２０５６号公報
【特許文献４】特開平９−４１５１９号公報
【発明の概要】
【発明が解決しようとする課題】
【０００５】
しかし、木造住宅においては、外壁パネルの取付金具によって屋外側から目地を通して外壁パネルを取り付ける構成は知られておらず、また、上述の特許文献４のような取付構造は、断熱材などの層を木造軸組の柱よりも屋外側に設けられるスペースが少なく、また、施工に手間が掛かりやすい。
【０００６】
そこで本発明は、木造建築物において木造躯体に外壁パネルを取り付ける外壁取付具及び外壁構造であって、容易に外壁パネルを取り付けることができる取付具及び構造を提供することを目的とする。
【課題を解決するための手段】
【０００９】
本発明の外壁構造は、木造建築物の外周に間隔を開けて複数立設される外周柱と、互いに隣接する前記外周柱の間を覆うように当該外周柱の屋外面に側端縁が固定される板体と、前記板体の屋外側に前記外周柱に沿ってそれぞれ固定され、屋外側の面に上下方向へ延びる溝を設けた木製下地と、前記木製下地に該木製下地の屋外側の面から螺着される固定プレートと、前記固定プレートの屋外面に回動可能に固定されるとともに、先端部が前記固定プレートの片側に突出可能な２つの押さえ片と、を有する外壁取付具と、屋内側の側端部に前記押さえ片の前記先端部が挿入可能な係止溝を有し、前記押さえ片により、前記係止溝が前記木製下地側に押えられることによって木造建築物の屋外面に取り付けられる外壁パネルと、を備え、一方の前記押さえ片の前記先端部と他方の前記押さえ片の前記先端部は、固定プレートの側方であり、且つ、互いに逆方向へのみ突出可能であり、前記固定プレートは、中央に前記木製下地に螺着するビスを挿入可能なビス挿入孔を有するとともに、前記ビス挿入孔の上下それぞれに、前記押さえ片を回動可能に固定する押さえボルトを螺着させるねじ孔を有し、前記押さえボルトは、先端を前記溝に挿入することを特徴としている。
【発明の効果】
【００１０】
本発明の外壁パネル取付具によると、木造建築物の躯体に外壁パネルを取り付ける取付具であって、当該外壁パネルの屋内側の側端部に向けて開いた係止溝を外壁パネル取付具の押さえ片で木製下地側に押えて取り付けるものであるので、外壁パネルの側端部の係止溝に押さえ片を引っ掛けるだけで、きわめて簡単に外壁パネルを取り付けることができる。特に押さえ片は外壁パネルの側端部に引っ掛けるものであるので、互いに隣接する外壁パネルの間の目地から押さえ片を操作することが可能であり、簡単に施工することができ、また、リフォームなどの際に簡単に外壁パネルを取り替えることができる。
【００１１】
好ましい形態の外壁パネル取付具によると、固定プレートの中央に木製下地に螺着するビスを挿入可能なビス挿入孔を有するとともに、ビス挿入孔の上下それぞれに、押さえ片の基端部を回動可能に固定する押さえボルトを螺着させるねじ孔を有するので、一方の押さえ片の先端を固定プレートの一方の側方に、他方の押さえ片の先端を固定プレートの他方の側方に突出するように回転させることで、外壁パネルの側端部の係止溝に押さえ片を引っ掛けることができる。ビス挿入孔の上下に押さえ片の基端部を配置することで、互いに隣接する外壁パネルの間の目地にビス挿入孔及び上下の押さえ片の基端部が露出するので、屋外側から簡単な操作で外壁パネルを取り付け及び取り外しすることができる。
【００１２】
本発明の外壁構造によると、外周柱の屋外面に板体が設けられ、板体の屋外側に木製下地が設けられ、木製下地に外壁取付具が固定されており、外壁取付具の押さえ片と木製下地の間に係止溝が挟まった状態となるので、外壁パネルは外周柱から板体及び木製下地の厚さの分の距離を開けて屋外側に配置されることになる。したがって、外周柱に直接固定される場合に比べて屋内側の空間を広げることができる。また、木製下地は、前記外周柱に沿って設けられており、互いに隣接する木製下地の間には空間が形成されるので、この木製下地の間の空間に断熱材などを収納することができるので、隣接する外周柱の間には断熱材などを収納する必要がなくなり、屋内空間を広げることができる。
【図面の簡単な説明】
【００１３】
【図１】押さえ片の長手方向が鉛直方向を向くように配置した状態の外壁取付具を屋外側から見た正面図。
【図２】押さえ片の長手方向が鉛直方向を向くように配置した状態の外壁取付具を側方から見た側面図。
【図３】押さえ片の長手方向が水平方向を向くように押さえ片を回転させた状態の外壁取付具を屋外側から見た正面図。
【図４】外壁取付具を木製下地に取り付ける状態を示す上方から見た断面図。
【図５】外壁取付具を木製下地に取り付ける状態を示す一部省略正面図。
【図６】外壁取付具を木製下地に取り付けた状態を示す上方から見た断面図。
【図７】外壁取付具を木製下地に取り付けた後、外壁パネルを配置した状態を示す断面図。
【図８】図７の状態において、外壁取付具の押さえ片を長手方向が水平方向を向くように回転させた状態を示す断面図及び一部省略正面図。
【図９】外壁取付具により外壁パネルを木製下地に取り付けた状態を示す断面図。
【図１０】外壁構造の構成を示す断面図。
【発明を実施するための形態】
【００１４】
以下、本発明に外壁取付具１及び外壁構造２の最良の実施形態について各図を参照しつつ説明する。本実施形態の外壁取付具１及び外壁構造２は、木造軸組構法の建築物の外壁パネル３を取り付ける外壁取付具１及び当該外壁取付具１を用いた外壁構造２である。なお、本発明の外壁取付具１及び外壁構造２は、木造軸組構法の建築物に限定されるものではなく、少なくとも木製の外周柱４を有する木造建築物であればよい。
【００１５】
外壁構造２は、図１０に示すように、木造建築物の外周に間隔を開けて複数立設される外周柱４と、互いに隣接する外周柱４の間を覆うように当該外周柱４の屋外面に側端縁が固定される板体５と、板体５の屋外側に外周柱４に沿ってそれぞれ設けられる木製下地６と、木製下地６に外壁パネル３を取り付ける外壁取付具１と、矩形平板状の外壁パネル３と、を備えている。
【００１６】
外周柱４は、柱脚が図示しない基礎の外周立ち上がりに設けられた土台又は床梁に立設されており、柱頭に図示しない梁を架設する角材からなる柱である。基礎の外周立ち上がりに例えば１ｍスパンで外周柱４が立設されている。板体５は、ＣＬＴ（Cross Laminated Timber）により形成され、すくなくとも外周柱４のスパンと同じ１ｍの水平方向の長さを有する平板状の板体５である。なお、板体５はＣＬＴに限定されるものではなく、その他の構造用合板であってもよい。板体５は両側の側端部が外周柱４の屋外側面に大壁仕様で図示しないビスによって固定されている。これによって外周柱４に加わる水平荷重は板体５が負担することができ、耐力壁を構成している。
【００１７】
木製下地６は、外周柱４よりも水平断面の面積が小さい角材により形成されている。木製下地６は、板体５を挟んで外周柱４の屋外側に当該外周柱４に沿って固定されており、外周柱４と同じように１ｍピッチで複数配置されている。木製下地６の屋外側の面には、幅方向の中央に上下方向に溝部７が設けられている。また木製下地６の屋外側の面の溝部７を含む範囲には防水シート９が貼付されている。互いに隣接する木製下地６の間には、断熱材８が収納されている。断熱材８を外周柱４よりも屋外側の木製下地６の間に配置することで、外周柱４の間に断熱材８を設ける必要がなくなる。そこで、例えば、屋内側に化粧壁を設けずに、外周柱４及び外周柱４間の空間を露出させることで外壁構造２の屋内側の空間を広げることができる。
【００１８】
外壁パネル３は、矩形平板状で屋外側に露出する外壁パネル本体３１と、屋内側の側端部に固定される溝形鋼からなる係止溝部３２とから構成される。係止溝部３２は、側方向に向けて開口するように外壁パネル本体３１の屋内側の面に一方のフランジが固定されている。なお、外壁パネル３の側方向とは、外壁パネル３を建築物の躯体に取り付けて、外壁を形成したときに、当該外壁面に対して平行で水平な方向をいう。
【００１９】
外壁取付具１は、図１及び図２に示すように、固定プレート１０と、固定プレート１０の屋外側面に基端部１１ｂが回動可能に固定されるとともに、先端部１１ａが固定プレート１０の側方に突出可能な２つの押さえ片１１を有している。固定プレート１０は、木製下地６に貼付された防水シート９に当接する背面プレート１２と、背面プレート１２の両側端における当該背面プレート１２の中央近傍に設けられる背面プレート１２に対して略垂直に立ち上がった垂直プレート１７とを有する。背面プレート１２には、その中央に外壁取付具１を木製下地６に固定するためのビス１８を挿入するビス挿入孔１３が設けられている。また背面プレート１２のビス挿入孔１３の上下には、それぞれねじ孔１４が設けられている。なお、本実施形態においては、「上下」などの方向は外壁取付具１を木製下地６に取り付けたときに、上又は下となる方向をいう。
【００２０】
ねじ孔１４には、押さえ片１１を回動可能に固定する押さえボルト１５が螺合する。押さえボルト１５には、円錐バネ１６が外嵌されている。押さえ片１１は、その先端部１１ａが固定プレート１０の背面プレート１２に接近する方向に斜めに折曲されて形成されている。押さえ片１１の先端部１１ａは幅方向の真ん中が切りかかれてその両側が延びる二叉状に形成されている。押さえ片１１の基端部１１ｂには、基端側に向かって細るように形成されており背面プレート１２に接近する方向に湾曲している。また、押さえ片１１の基端部１１ｂには押さえボルト１５が挿入されるボルト挿通孔１７が設けられている。押さえボルト１５は押さえ片１１のボルト挿通孔１７、及び円錐バネ１６の中に挿入されて、ねじ孔１４に螺合して固定されている。押さえボルト１５がねじ孔１４に螺合したときに、円錐バネ１６は押さえ片１１を押さえボルト１５の頭に向かって付勢することになり、押さえ片１１が押さえボルト１５の回りを不必要に揺動することを抑え、作業性を向上させている。
【００２１】
外壁取付具１は、図２に示すように、押さえボルト１５をねじ孔１４の締結方向に回転させることにより、押さえ片１１を固定プレート１０の背面プレート１２に接近する方向に移動させることができ、押さえボルト１５をねじ孔１４の弛緩方向に回転させることにより、押さえ片１１を固定プレート１０の背面プレート１２の離反方向に移動させることができる。また、外壁取付具１は、図１及び図３に示すように、押さえ片１１が押さえボルト１５を中心に回転可能になっており、この押さえ片１１の回転は、２つの垂直プレート１７によって押さえ片１１の回転を当該押さえ片１１の長手方向が鉛直となる状態から押さえ片１１の長手方向が水平となる状態までの範囲に規制されている。すなわち、押さえ片１１は、当該押さえ片１１と固定プレート１０の長手方向が一致する図１に示す状態から、押さえ片１１が固定プレート１０に対して垂直となり、押さえ片１１の先端部１１ａが固定プレート１０の側方に突出する図２に示す状態まで回転できる。
【００２２】
以上のように構成される外壁取付具１により外壁パネル３を取り付ける際には、まず、図４に示すように、外周柱４の屋外側に板体５をビス固定し、この板体５の屋外側で外周柱４に沿った位置に木製下地６を固定する。なお、この段階で隣接する木製下地６の間には断熱材８を収納する。そして、木製下地６の屋外側に防水シート９を貼付し、その屋外側に外壁取付具１を配置する。この際、図２に示すように、外壁取付具１の押さえ片１１は長手方向が鉛直方向を向くように配置しておく。
【００２３】
そして、図４から図６に示すように、外壁取付具１の固定プレート１０の中央に設けられたビス挿入孔１３を通してビス１８を木製下地６に打ち込んで、外壁取付具１を木製下地６に固定する。そして、次に、図７に示すように、外壁パネル３の係止溝部３２が木製下地６に当接するように外壁パネル３を外壁取付具１の両側に配置して、外壁目地１９を形成する。
【００２４】
そして、図８に示すように、外壁目地１９から図示しない工具を挿入して、押さえ片１１が固定プレート１０に対して垂直となり、押さえ片１１の先端部１１ａが固定プレート１０の側方に突出するように、上下の押さえ片１１を回転させる。このように押さえ片１１を回転させると、押さえ片１１の先端部１１ａが係止溝部３２に挿入される。そして、六角レンチのような工具を外壁目地１９から挿入して、押さえ片１１を固定している押さえボルト１５を締結方向に回転させ、図９に示すように、押さえ片１１を木製下地６側に移動させる。押さえ片１１が移動されると、係止溝部３２に挿入されている押さえ片１１の先端が係止溝部３２の屋内側のフランジを木製下地６及び防水シート９に押し付けることになり、外壁パネル３が木製下地６に固定される。
【００２５】
このように、本実施形態の外壁パネル３取付具によると、外壁パネル３の側端部の係止溝に押さえ片１１を引っ掛けるだけで、きわめて簡単に外壁パネル３を取り付けることができる。特に押さえ片１１は外壁パネル３の側端部に引っ掛けるものであるので、互いに隣接する外壁目地１９から押さえ片１１を操作することが可能であり、簡単に施工することができ、また、リフォームなどの際に簡単に外壁パネル３を取り替えることができる。しかも、ビス挿入孔１３の上下に押さえ片１１の基端部１１ｂが配置されているので、外壁目地１９にビス挿入孔１３及び上下の押さえ片１１の基端部１１ｂを固定している押さえボルト１５の頭が露出するので、屋外側から簡単な操作で外壁パネル３を取り付け及び取り外しすることができる。
【００２６】
また、外周柱４から外壁パネル３までの間に、板体５及び木製下地６が設けられているので、外周柱４に直接固定される場合に比べて屋内側の空間を広げることができ、また、木製下地６の間に断熱材８を収納することができるので、隣接する外周柱４の間には断熱材などを収納する必要がなくなり、屋内空間を広げることができる。
【００２７】
なお、本発明の実施の形態は上述の形態に限ることなく、本発明の思想の範囲を逸脱しない範囲で適宜変更することができることは云うまでもない。
【産業上の利用可能性】
【００２８】
本発明に係る外壁取付具１及び外壁構造２は、例えば木造住宅の外壁取付具１及び外壁構造２として、好適に用いることができる。
【符号の説明】
【００２９】
１        外壁取付具
２        外壁構造
３        外壁パネル
４        外周柱
５        板体
６        木製下地
１０      固定プレート
１１      押さえ片
３２      係止溝部（係止溝）
【図１】
0006323421.tif 000002
【図２】
0006323421.tif 000003
【図３】
0006323421.tif 000004
【図４】
0006323421.tif 000005
【図５】
0006323421.tif 000006
【図６】
0006323421.tif 000007
【図７】
0006323421.tif 000008
【図８】
0006323421.tif 000009
【図９】
0006323421.tif 000010
【図１０】
0006323421.tif 000011